(57)【特許請求の範囲】
【請求項１】
必要な情報を記憶するメモリ機能部を有するメモリ機能付き光コネクタ・プラグと、
該メモリ機能付き光コネクタ・プラグと結合されるか否かの結合態様と非結合態様をとるアダプタとを備え、
該アダプタには、前記結合態様のときに前記メモリ機能部に非接触で近接して電磁結合するアンテナを備えて、
当該結合態様にあるときに、前記メモリ機能部と非接触である前記アンテナを介して当該メモリ機能部への前記必要な情報の書き込みと当該メモリ機能部からの該必要な情報の読み出しができるように構成されたメモリ機能付き光コネクタ。
【請求項２】
前記メモリ機能部が、該光コネクタの光接続部を収容しているハウジングに、設けられていることを特徴とする請求項１に記載のメモリ機能付き光コネクタ。
【請求項３】
前記メモリ機能部が、該光コネクタの光接続部を収容しているハウジングの外形構造を利用して取り付けられる構造を有することを特徴とする請求項１または請求項２に記載のメモリ機能付き光コネクタ。
【発明の詳細な説明】
【０００１】
【発明の属する技術分野】
本発明は、光コネクタに関するものであり、特に、管理のための管理情報が付加されている光コネクタに関するものである。
【０００２】
【従来の技術】
従来の光コネクタには、管理のための管理情報として、任意の文字又はバーコードなどを記録したラベル、又はテープが貼り付けられている。また、場合によっては個別管理ではなく、ロットや製造年月などのグループ単位の管理情報が付加されているものもある。
【０００３】
【発明が解決しようとする課題】
このような状態で光コネクタの製造工程や、取付け配線作業の管理をする場合、一般的に計算機などを利用して管理が行われているが、管理情報が文字であった場合、取扱い担当者が認識して計算機に入力処理を行うことから、誤認識や入力間違え等のミスが発生するおそれがある。
また、管理情報がバーコードで記録されている場合、誤認識や入力間違えは格段に少なくなるが、工程の前又は後に必ず読み込む必要があり、仮に読み込みを忘れて工程を行った場合などは、管理が不可能になってしまう。
さらに、管理情報を印字した媒体がラベル又はテープなどの場合、担当者が認識するには、その媒体はある程度の大きさを有することが必要であり、実際の利用環境で配線盤に集約された際に、ラベル自体が取扱いの邪魔となり、取扱いの利便性を阻害することとなる。
また、媒体の材質が紙などの場合、取り扱い中に破損してしまうことがあり、そのときには認識は不可能となり管理することが出来ない。
【０００４】
本発明は、個別の識別情報を記録するメモリ機能を持つことにより、工程ごとの個別管理を容易かつ確実に行うことを可能とし、これにより生産性と品質の向上を図ることができ、さらには、取扱いの利便性が得られるようにしたメモリ機能付き光コネクタを提供するものである。
【０００５】
【課題を解決するための手段】
この目的を達成するために、本発明によるメモリ機能付き光コネクタは、
必要な情報を記憶するメモリ機能部を有するメモリ機能付き光コネクタ・プラグと、
該メモリ機能付き光コネクタ・プラグと結合されるか否かの結合態様と非結合態様をとるアダプタとを備え、
該アダプタには、前記結合態様のときに前記メモリ機能部に非接触で近接して電磁結合するアンテナを備えて、
当該結合態様にあるときに、前記メモリ機能部と非接触である前記アンテナを介して当該メモリ機能部への前記必要な情報の書き込みと当該メモリ機能部からの該必要な情報の読み出しができるように構成されている。
前記メモリ機能部は、該光コネクタの光接続部を収容しているハウジングに、設けられる構成とすることができる。
前記メモリ機能部は、該光コネクタの光接続部を収容しているハウジングの外形構造を利用して取り付けられる構造にすることができる。
【０００６】
【発明の実施の形態】
本発明によるメモリ機能付き光コネクタ１０は、図１に示すように、光接続部を収容している光コネクタ部１と、例えば、ＲＦＩＤシステムとして製品化されＩＣカードやＩＣ定期券に使用されているような電磁誘導方式による非接触型集積回路２をもったメモリ機能部３により構成される。また、読み書き装置は、図２に示すように前記非接触型集積回路２と電磁誘導結合をするためのアンテナ４と、その制御装置５から構成される。
【０００７】
図２に示すように、アダプタ６に光コネクタ部１が挿入された場合、アダプタ６の近傍に設置されたアンテナ４を介し、光コネクタ１０側のメモリ機能部３と通信を行い、情報の読みとり及び書き込み書きを行うことでメモリ機能付き光コネクタ１０として機能する。
【０００８】
メモリ機能付き光コネクタ１０のメモリ機能部３にはあらかじめ固有の識別情報（以下、固有ＩＤ）が記録されている。この識別情報のおのおのは唯一のものであり、同一の情報は２つと存在しない。
【０００９】
このような構成により、メモリ機能付き光コネクタ１０を実現することにより、前記本発明の目的を達成することができる。以下はその目的に対応する具体的な使用例である。
▲１▼  光コネクタ部１を光ファイバ７に取り付ける作業において、様々な工程を経過して作られるが、各工程において光コネクタ１０のメモリ機能部３内に固有ＩＤを読み込み、工程内容と作業日時などを併せて計算機１６に入力させることにより、各工程の一元管理が可能となる。これにより、固有ＩＤから作業日時、作業者、工程名などの各項目について追跡することができ、品質の向上を図ることが出来る。
▲２▼  また固有ＩＤは、各工程の作業中にメモリ機能部３から、アンテナ４を介して制御装置５により自動的に読みとられ、そのまま直接電算機１６に入力されることから、前記のような入力間違いや、入力忘れなどのミスを防ぐことが可能である。
【００１０】
具体的使用例として、挿入損失特性検査への適用例を以下に挙げる。
挿入損失特性の測定には、光源１１とマスターケーブル１２及びマスタアダプタ１３、被測定ケーブル１４、光パワーメーター１５を用いる。光パワーメータ１５は、その指示値の情報を計算機１６にて読みとることが出来るように、外部接続手段を備えている。また、被測定ケーブル１４には本発明装置であるメモリ機能付き光コネクタ１０が取り付けられ、そのメモリ機能部３には固有ＩＤが書き込まれている。
【００１１】
まず、基準値を測定する。このために、光源１１とマスターケーブル１２と光パワーメータ１５をそれぞれ図３のように接続し、そのときの光パワーメータ１５の指示する値を外部接続手段を介して基準値として計算機１６に記憶する。
【００１２】
測定時には、図４に示すように、光パワーメータ１５とマスターケーブル１２との間に、読み書き用の制御装置５のアンテナ４を取り付けたマスタアダプタ１３と被測定ケーブル１４（メモリ機能付き光コネクタ１０がその一端に図示のように取り付けられている）を挿入する。被測定ケーブル１４が挿入されると、アンテナ４を介して制御装置５により光コネクタ１０のメモリ機能部３から固有ＩＤが読みとられ、計算機１６に記憶される。
【００１３】
接続された時、光パワーメータ１５の指示値が外部接続手段を介し計算機１６に読みとられてから、先に記憶した基準値を差し引くことで、その光コネクタ部１の挿入損失特性を測定することができる。
【００１４】
このように、先に記憶した被測定ケーブル１４の固有ＩＤと、挿入損失値を関連させて記憶し、蓄積することにより、光コネクタ１０を接続した被測定ケーブル１４の特性を管理することが出来る。
【００１５】
【発明の効果】
以上詳細に説明したように、本発明装置では、メモリ機能部とコネクタとが一体であるため、非常に小型であり取扱いの煩雑さが解消された。
また、読取り装置が計算機に直接接続されて自動的に入力される事により、人手が介在することが無くなり、入力ミスが無くなった。
【図面の簡単な説明】
【図１】本発明によるメモリ機能付き光コネクタの基本的構造例の部品の構造例を示す斜視図（ａ）とその各部品を取り付けて結合した状態を示す斜視図（ｂ）である。
【図２】本発明によるメモリ機能付き光コネクタの使用状態を説明するための各装置の接続配置図である。
【図３】本発明によるメモリ機能付き光コネクタにおける挿入損失特性測定時の基準値の測定を説明するための接続配置図である。
【図４】本発明によるメモリ機能付き光コネクタにおけるＩＤ情報の入力と出力の動作を説明するための接続配置図である。
【符号の説明】
１  光コネクタ部
２  非接触型集積回路
３  メモリ機能部
４  アンテナ機能部
５  制御装置
６  アダプタ
７  光ファイバ
１０  コネクタ
１１  光源
１２  マスターケーブル
１３  マスタアダプタ
１４  被測定ケーブル
１５  光パワーメータ
１６  計算機
【図１】
0003776356.tif 000002
【図２】
0003776356.tif 000003
【図３】
0003776356.tif 000004
【図４】
0003776356.tif 000005